(57)【要約】 【課題】  早朝高血圧や夜間持続高血圧がある場合においてもより細かい血圧情報が得られる血圧測定システムの提供。【解決手段】  本発明に係る血圧測定システムは、耳介の適所に装着したカフを含む血圧測定手段と、カフ付近の外耳道温度または耳介近傍の外気温度を測定する温度測定手段と、温度測定手段及び血圧測定手段を所定時間間隔毎に連続的に駆動させるクロック手段と、血圧測定手段により測定された血圧値を温度測定手段により測定された該カフ付近の外耳道温度または耳介近傍の外気温度を対応づけして記憶する記憶手段とからなり、夜間または早朝において測定された最高血圧が所定値を超えると、測定間隔を所定短くすることを特徴とする。【選択図】図１
2006280392.tif 000002
【特許請求の範囲】
【請求項１】
耳介の適所に装着したカフを含む血圧測定手段と、該カフ付近の外耳道温度または耳介近傍の外気温度を測定する温度測定手段と、上記温度測定手段及び上記血圧測定手段を所定時間間隔毎に連続的に駆動させるクロック手段と、上記血圧測定手段により測定された血圧値を前記温度測定手段により測定された該カフ付近の外耳道温度または耳介近傍の外気温度を対応づけして記憶する記憶手段とからなり、夜間または早朝において測定された最高血圧が所定値を超えると、測定間隔を所定短くすることを特徴とする血圧測定システム。
【請求項２】
請求項1記載の血圧測定装置と有線または無線で通信を行い、外耳道温度または耳介近傍の外気温度を対応づけして血圧値をトレンド記憶する血圧管理装置であって、前記外耳道温度または耳介近傍の外気温を１つの条件として含む、検索条件に基づいて、抽出された血圧値を表示することを特徴する血圧測定システム。
【請求項３】
血圧値の表示形態は、リスト表示，ドット表示，トレンド表示のうち少なくとも１つまたはこれらの任意の組合せであることを特徴とする共にトレンド表示することを特徴する血圧測定システム。
【発明の詳細な説明】
【技術分野】
【０００１】
本発明は、血圧計に関し、特に耳介近傍の外気温度と対応付けして血圧を連続(間歇)測定・記憶する血圧測定システムに関する。
【背景技術】
【０００２】
上腕などにカフを巻き、電子回路，操作部，表示部を備えた本体部をポケット，ベルトなどで保持して所定時間(時分)間隔で測定する携帯型連続血圧装置が提案されている。このような携帯型連続血圧装置においては、温度(雰囲気温度)と対応づけて血圧を表示、記憶するものである(特許文献１：特開２００１−８９０７号公報)。しかしながら、夜間の睡眠を妨げることがないよう、通常３０分間隔で血圧測定する。このため、早朝高血圧や夜間持続高血圧がある場合、どの時点から血圧が上昇傾向にあり、どの時点から１５０ｍｍＨｇ以上の高血圧領域にあるのか判断が難しいという問題があった。
【特許文献１】特開２００１−８９０７号公報
【発明の開示】
【発明が解決しようとする課題】
【０００３】
本発明は、上記説明したような従来技術の問題点を解決するためになされたものであり、その目的は、被検者に負担感を与えることなく、夜間において睡眠を妨げず、早朝高血圧や夜間持続高血圧がある場合においてもより細かい血圧情報が得られる血圧測定システムを提供することである。
【課題を解決するための手段】
【０００４】
上記目的を達成するため、本発明に係る血圧測定システムは、耳介の適所に装着したカフを含む血圧測定手段と、カフ付近の外耳道温度または耳介近傍の外気温度を測定する温度測定手段と、温度測定手段及び血圧測定手段を所定時間間隔毎に連続的に駆動させるクロック手段と、血圧測定手段により測定された血圧値を温度測定手段により測定された該カフ付近の外耳道温度または耳介近傍の外気温度を対応づけして記憶する記憶手段とからなり、夜間または早朝において測定された最高血圧が所定値を超えると、測定間隔を所定短くすることを特徴とする。血圧値の表示形態は、リスト表示，ドット表示，トレンド表示のうち少なくとも１つまたはこれらの任意の組合せであることを特徴とする。
【発明の効果】
【０００５】
本発明の血圧測定装置によれば、外出時などにおいて、外気温が変化しても耳介の適所に装着された温度測定手段により測定された温度と対応付けして血圧( 最高血圧値、最低血圧値)の測定、記憶できる。また、本発明の血圧測定装置に用いる血圧管理装置によれば、深夜から早朝にかけての室温やトイレ内の温度と対応付けて血圧( 最高血圧値、最低血圧値)の測定、記憶できる。夜間持続型高血圧や早朝高血圧の判断が行ない易くなる。
【発明を実施するための最良の形態】
【０００６】
図面を参照して、本発明に係る好適な実施形態の血圧測定装置について説明する。なお本実施形態の説明に外気温とは、測定者にとっての環境温度、例えば、屋内にあっては、室温，トイレ内の温度,浴室内の温度等を反映するものである。また、屋外においては、外気温である。
【０００７】
＜実施例＞
以下、まず本実施形態の血圧測定装置における特徴を簡単に説明する。本実施形態に係る血圧測定装置のカフを含むプローブ部が装着されるのは、外耳およびその周辺(周辺部)であるが、特に浅側頭動脈及び／または耳珠とその周辺部である。
【０００８】
［血圧計の特徴］
ここで、血圧測定部位として本実施形態で用いる場合と、従来のように上腕や指を用いる場合の痛みの違いについて説明する。上腕，手首，指は体の重要な部位として複雑な作業を行うため、それらの作業ができるようにそれらの血管の周囲には多くの神経が張り巡らされている。一方、耳介の一部である耳珠は、頭部に固定され、集音などに使用される。このため上腕や指のように複雑な作業に使われることもないため、その周辺にある神経の量は、上腕や指にある神経の量に比べて少ない。そのため、外耳およびその周辺（好ましくは耳珠および／または浅側頭動脈）を用いて血圧測定をする場合は、血圧測定時に圧迫される神経の量が少ないため上腕，手首，指を測定部位とする血圧測定に比べて血圧測定時の痛みを低減できるという利点を有する。しかしながら、耳珠は耳介の一部の小さい部位であることから、小型の血圧測定部を外耳およびその周辺で確実かつ安定して固定できないと、プローブ部（血圧検出部）が測定時に動いてしまい精度よく血圧測定ができない。そのため、本実施形態の血圧測定装置では、図２に示すようなプローブ部(血圧検出部)、耳掛部および本体からなる構造とし、血圧検出部を外耳およびその周辺（好ましくは耳珠および／またはその周辺）に安定して固定できるようにした。その結果、被験者に与える痛みを低減しながら、外耳およびその周辺（好ましくは耳珠および／またはその周辺）の血圧を簡単かつ長期間安定して精度よく測定できる。また、測定した血圧値と併せて測定された環境温度、測定時刻（日時）と共に記憶できる。
【０００９】
図１は、本発明に係る好適な実施形態の血圧測定装置の一例を示す外観図である。血圧測定装置１は、プローブ部(血圧検出部)３０、耳掛部４０、本体部１００より構成される。プローブ部３０はカフ３１，３２を介して浅側頭動脈２８及び／または耳珠２１に装着され、本体部１００は、例えば、被験者の胸ポケットに収容される。血圧測定装置１の本体部１００の外部通信部７４から無線または有線により、血圧値を含む情報（最高血圧，最低血圧，血圧測定日時，環境温度，姿勢（活動状況），投薬等のメモ情報等）が血圧管理装置(パーソナル・コンピュータまたはホスト・コンピュータ)２００の外部通信部２０７を経てメモリ２０８に記憶される。２０１は、血圧管理装置(パーソナル・コンピュータまたはホスト・コンピュータ)２００のシステム全体を制御する制御部（ＣＰＵ）である。
【００１０】
耳掛部４０は、一部は所定の剛性を有する中空のパイブで構成され、プローブ部３０と本体部１００とを連結部４１、端部４２ａにより、連結するものである。耳掛部４０の内部には、本体部１００からプローブ部３０に供給する加圧空気用のエア配管４３と、電力およびプローブ部３０から本体部１００に検出信号や測温部（サーミスタを含む感温部）からの信号を送信する信号線４４を収容するパイプが動かないように固定されており、本体部１００を被験者が操作する際にエア配管４３や信号線４４が動いてもプローブ部３０の装着がずれないようにエア配管４３を保持している。
【００１１】
耳掛部４０は、例えば、アルミニウムなどの金属、形状記憶合金または各種樹脂製の中空パイプであり、に耳介に取り付けられやすいように耳介と似た形状に加工されており、耳介の付け根から耳輪の裏側に回りこんで固定される構造となっている。このように耳掛部４１は金属や硬質の樹脂によって作られており耳介と似た形状にすることによって耳に掛ける部分に柔軟性を付与することができるので耳掛部４０を耳に掛けたときに耳にしっかり固定することができる。
【００１２】
プローブ部３０は、耳珠に固定される場合、アーム３８、耳珠２１へ加える圧力を変化させるカフ３１，３２、カフ３１，３２へ加圧空気を供給する空気パイプ４３、カフ３１，３２を固定するＯリング等のカフ固定部材等で構成される。光電脈波により血圧を検出・演算する場合には、さらに、カフの近傍に配置され、耳珠２１に光を照射する発光素子３５、毛細血管で反射した光を受光する受光素子３６とを備える。これらの配置は、受光素子３６を対向させ、透過光を受光するようにしてもよい。また、プローブ部３０が浅側頭動脈に固定される場合、カフは１つとなり、アーム部、保持フレームも不要となる。この場合、プローブ部３０を浅側頭動脈に、より確実に固定するために、耳甲介腔などに挿入し押圧する部材を設けることが好ましい。
【００１３】
図２は、プローブ部３０、本体５０を含む本血圧測定装置１００の制御構成全体を示すブロック図である。図１において、３０はプローブ部であり、４３はエア配管であり、カフ３１、３２内への加圧空気の流路をなす。５３は加圧部(加圧ポンプ)であり、カフ３１、３２内に圧力空気を送り込む。５４ａは減圧バルブ（排気バルブ）であり、カフ３１、３２内の圧力を所定速度（例えば２〜３ｍｍＨｇ／ｓｅｃ）で微速排気させる。また、カフ３１、３２内の圧力を急速に減少させる急速排気弁を設けてもよい。５６は圧力検出部であり、カフ３１、３２内の圧力に応じて電気的パラメータを変化させる圧力センサ，圧力検出アンプ（ＡＭＰ），Ａ／Ｄ変換器（Ａ／Ｄ）等を含み、アナログのカフ圧信号Ｐを出力する。
【００１４】
光電脈波式の場合、プローブ部３０内の発光素子３５、受光素子３６はカフ３２内に設置された光電脈波を検出するための脈波センサであり、脈動する動脈血流に光を照射する発光素子（ＬＥＤ，レーザー等）３５と動脈血流による反射光を検出する受光素子（フォトトランジスタ等）３６とを含む。なお、受光素子３６をカフ３１内に配置し発光素子３５によって照射された光が耳珠内部を透過する透過光を検出する構成としてもよい。５９は受光信号検出部であり、受光素子３６の出力信号を増幅してアナログの脈波信号Ｍ（血管内容積変化信号）を出力する脈波検出アンプ（ＡＭＰ）を含む。
【００１５】
ここで、発光素子３５には光量を自動的に変化させる発光制御部６８が接続され、一方、受光信号検出部５９は、ゲインを自動的に変化させるゲイン制御部，脈波検出フィルタ・アンプを構成するフィルタアンプの時定数を変化させる時定数制御部，Ａ／Ｄ変換器（Ａ／Ｄ）等で構成され、アナログ信号Ｍ，ＰをデジタルデータＤに変換する。圧脈波を用いて最高血圧・最低血圧を演算する場合には、これらの発光素子（ＬＥＤ，レーザー等）３５と受光素子（フォトトランジスタ等）３６は必要ではない。
【００１６】
６１は、血圧測定装置１００のシステム全体を主制御する制御部（ＣＰＵ）であり、ＣＰＵ６１が実行する制御プログラムを格納するＲＯＭ，データメモリや画像メモリ等を備えるＲＡＭも含む。６４は液晶表示器（ＬＣＤ）であり、血圧値(最高血圧，最低血圧，脈拍，外気温，画像メモリの内容等)を表示する。６６は操作パネル(キーボード)であり、電源スイッチ６２、開始／停止スイッチ６３、イベントスイッチ６５等が設けられている。イベントスイッチ６５では、高血圧剤改善薬剤等の投薬（服用）等の情報を入力する。なお、複数の種類の高血圧剤改善薬剤が入力可能にするために選択入力できるようにしてもよい。
【００１７】
[血圧測定時の動作]
次に、上記説明した構成の本血圧計１００による血圧測定時の動作について説明する。本体部１００の電源スイッチ６２をＯＮし、開始／停止スイッチ６３をＯＮすると制御部６１は、加圧制御部５３を介して加圧部(加圧ポンプ)５３ａを駆動して配管４３を通じてカフ３１および／またはカフ３２を加圧するように指示する。圧力検出部(圧力センサ)５６は、カフ３１および／またはカフ３２の圧力を測定し、測定した結果を信号線４４により制御部６１へ伝達する。
【００１８】
制御部６１は、圧力検出部５６の測定したカフ３１および／またはカフ３２の圧力が制御部６１の指示した圧力に一致するように加圧部５３ａを制御する。光電脈波式の場合、制御部６１は発光制御部５８へ信号を送信し、発光制御部５８が、発光素子（ＬＥＤ，レーザ光等）３５が所定の強度で被測定部位(耳介の一部、例えば、浅側頭動脈、耳珠等)へ発光される。この照射光は、浅側頭動脈または耳珠内の毛細管のヘモグロビンによって吸収され、反射される光を受光素子３６が受光すると、受光した光を電気信号に変換し、受光信号検出部５９へ信号線４４を通じて送信する。受光素子３６は、発光素子３５と対向位置に設けてもよいがこのばあいには、浅側頭動脈または耳珠内の毛細管のヘモグロビンによって吸収され、透過される光となる。圧脈波を用いる場合、上述の発光素子３５，受光素子３６，発光制御部５８，受光信号検出部５９は必要でない。
【００１９】
[血圧測定の原理]
次に、本血圧計１００を用いる血圧測定の原理の一例について簡単に説明する。血圧測定では、まずカフ３１および／またはカフ３２を加圧部５３ａで加圧することにより浅側頭動脈２８(図２参照）または耳珠内の毛細血管の血流を止めた状態から減圧バルブ５４ａを作動させ、圧力を漸次低下させる。この減圧の過程は、カフ３１および／またはカフ３２の圧力Ｐとして示され、時間の経過とともにカフ３１および／またはカフ３２の圧力Ｐは減少する。
【００２０】
この減圧過程での脈動波形とカフの圧力の値に基づいて、最高血圧（収縮期血圧）最低血圧（拡張期血圧）が演算される。このような血圧測定は、例えば所定時間間隔(例えば１５分間隔)で２４時間またはそれ以上連続(間歇)して測定される。演算された最高血圧（収縮期血圧）、最低血圧（拡張期血圧）は、測温部７２ａで検出され、温度演算部７２で演算された外耳道温度または耳介近傍の外気温、測定日時と共に、メモリ部６８に記憶される。閾値（例えば、１５０ｍｍＨｇ）を設定しておくと、特に深夜（０：００）−早朝（６：００）においてこの閾値を越えると、血圧測定時間間隔を所定時間間隔(例えば１５分間隔)から、より短い測定時間間隔（例えば２〜３分間隔）にし、より細かい時間間隔での血圧測定を行なうようにＣＰＵ６１により制御する。
【００２１】
なお、高血圧剤改善薬剤等を服用（投薬）している場合、イベントスイッチ６５によりその情報を入力する。測定日時と共に、記憶された最高血圧（収縮期血圧）、最低血圧（拡張期血圧）、外耳道温度または耳介近傍の外気温は、外部通信部７４を介して、都度送信するか、一旦メモリ６８に記憶し、所定時間毎に、血圧管理装置(ホストコンピュータ，パーソナルコンピュータ)２００に送信し、これらのデータがメモリ２０８にダウンロードされる。この血圧管理装置２００では、血圧値のトレンド情報の他、所定の検索条件で血圧値をドット表示可能にしている。なお、インターネット等を介して、病院サイト，主治医サイトへこれらのデータを個人のＩＤデータと共に送信し、管理可能とし、血圧値のトレンド情報の他、所定の検索条件で血圧値をドット表示可能にしている。病院サイト，主治医サイトにおいても血圧管理装置は、血圧管理装置２００とほぼ同様の機能を有している。
【００２２】
図３は、血圧管理装置２００において、検索条件として、測定月日、測定時刻を入力して表示部２０４に表示した例である。図３（ｂ）、冬季において、早朝に血圧が高くなることが一瞥できる。また、ドット表示される血圧値は、処方された高血圧剤改善薬剤等を服用（投薬）していることを種類毎に色別（例えば、高血圧剤改善薬剤の場合、第１次選択薬の場合に黄色、第２次選択薬の場合に橙色などに色別）で表示するようにしてもよい。
【００２３】
検索条件としては、上述の測定月日（日単位，週単位，月単位，希望の選択期間）、測定時刻の他、外気温（環境温度）も含め、これらの任意の組合せを入力することで抽出し、ドット（マトリックス）表示できる。また、通常行なわれているように血圧値（最高血圧，最低血圧）トレンド表示も可能となっている。
【００２４】
本血圧計１００では、小型の血圧測定部を耳介の適所（浅側頭動脈または耳珠）に装着し、外耳およびその周辺（浅側頭動脈または耳珠）の血圧を簡単かつ精度よく測定することができる。なお、上述の血圧測定装置は発光素子及び受光素子を用いたいわゆる光電脈波式で脈波を検出しているが、耳珠へ圧力を圧迫するカフを備え、生体表面の血管による脈動を当該カフで圧力変化として捉えることによっても脈波を検出することができる。即ち、圧力を印加したカフで生体から得られる脈動をカフ内の圧力の変化に変換し、圧力検知装置でカフ内の圧力変化を検知するものである。このような構成によっても生体の脈波を検出することができる。
【００２５】
次に、家庭内，病院内，病院サイト，主治医サイト等での血圧管理装置(パソコン)２００での血圧データの検索、表示について説明する。２０１は血圧計管理装置２００のシステム全体を制御するためのプログラムを含むＣＰＵ(制御部)である。血圧計管理装置２００の表示部２０４において、選択画面を選択し、図３（ａ）に示すような検索画面を表示させる。この後、検索項目を選択(入力)し、検索条件を入力部２０２で入力し、検索方式を選択（入力）する。
【００２６】
図３（ｂ）は、検索項目として、(1)測定月日、(2)測定時間  にして、測定月日を２００４年１２月１日から２００５年３月２５日までとし、測定時間を深夜０：００から早朝６：００までとし、検索論理式を１＊２(即ち、「測定月日が２００４年１２月１日から２００５年３月２５日まで」かつ、 「測定時間が深夜０：００から早朝６：００まで」)とした例である。
図３(ａ)の表示画面で、検索実行にカーソルを合わせ、クリックすると検索が実行され、図４（ｂ）のように条件を満たして抽出された血圧（最高血圧値）がドット（マトリックス）表示される。
【００２７】
以上説明したように本実施形態の血圧測定装置によれば、外出時などにおいて、外気温が変化しても耳介の適所に装着された温度測定手段により測定された温度と対応付けして血圧( 最高血圧値、最低血圧値)の測定、記憶できる。また、本発明の血圧測定装置に用いる血圧管理装置によれば、深夜から早朝にかけての室温やトイレ内の温度と対応付けて血圧( 最高血圧値、最低血圧値)の測定、記憶できる。夜間持続型高血圧や早朝高血圧の判断が行ない易くなる。なお、本発明は実施例に限られるものでなく、適宜変更・応用が可能である。
【図面の簡単な説明】
【００２８】
【図１】本発明の実施例のプロック図である。
【図２】本発明の実施例の概略図である。
【図３】本発明の実施例の検索・表示例を示す図である。
【符号の説明】
【００２９】
１  血圧測定装置
３０    血圧検出部
３１    カフ
３２    カフ
３５    発光素子
３６    受光素子
３８    アーム
３９    アーム
４０    耳掛部
１００  本体部
２００  血圧管理装置
【図１】
2006280392.tif 000003
【図２】
2006280392.tif 000004
【図３】
2006280392.tif 000005